(57)【特許請求の範囲】
【請求項１】
所定の規格に基づいて建築される規格化建物のカテゴリーに属し、所望の間取りを有する対象建物の耐震設計方法であって、
前記規格化建物のカテゴリーに属し、且つ実際に建築された構造モデルを用いた実験により、各部位における層間変形角と損傷度との関係を導出する損傷情報導出工程と、
設計用に仮決定される地震動指標値、前記地震動指標値を有する地震が前記対象建物に作用した際の損傷許容値、及び前記対象建物を仮決定するための耐震性に係わる部材配置の仮設定値を設定する条件設定工程と、
仮決定された前記対象建物に対して前記地震動指標値を有する地震波を仮想的に入力し、仮決定された前記対象建物における前記地震動指標値と層間変形角との関係を導出する応答解析工程と、
前記地震動指標値を有する地震が、仮決定された前記対象建物に作用した際の損傷度に基づく損傷評価値を前記損傷情報導出工程及び前記応答解析工程で導出された各関係に基づいて導出する損傷評価値導出工程と、
前記損傷評価値と前記損傷許容値とを比較する比較工程と、を備え、
前記比較工程において前記損傷評価値が前記損傷許容値を超えている場合には、前記地震動指標値、前記損傷許容値、及び前記仮設定値の少なくとも一つの値を変更して前記損傷評価値が前記損傷許容値以下になるまで前記条件設定工程、前記損傷情報導出工程、及び前記比較工程を繰り返し行い、前記比較工程において前記損傷評価値が前記損傷許容値以下になった場合には、前記仮設定値を前記対象建物の確定した部材配置の設定値として決定することを特徴とする耐震設計方法。
【請求項２】
前記損傷度は、損傷からの復旧に要する困難性の度合いに応じて複数の損傷モードに分類され、
前記応答解析工程では、前記複数種の構造モデルそれぞれに対して、各部位における前記層間変形角と前記損傷モードそれぞれとの関係を導出することを特徴とする請求項１記載の耐震設計方法。
【請求項３】
損傷からの復旧に要する前記困難性の度合いとは、修復に要する費用の額に基づいて決定されることを特徴とする請求項２記載の耐震設計方法。
【請求項４】
前記応答解析工程では、複数の前記地震波を仮想的に入力すると共に、
前記応答解析工程において導出される関係は、確率論的に求められることを特徴とする請求項１〜３のいずれか一項記載の耐震設計方法。
【請求項５】
所定の規格に基づいて建築される規格化建物のカテゴリーに属し、所望の間取りを有する対象建物の耐震設計支援装置であって、
前記規格化建物のカテゴリーに属し、且つ実際に建築された構造モデルの各部位における層間変形角と損傷度との関係を示す損傷情報を格納する損傷情報記憶手段と、
設計用に仮決定される地震動指標値、前記地震動指標値を有する地震が前記対象建物に作用した際の損傷許容値、及び前記対象建物を仮決定するための耐震性に係わる部材配置の仮設定値の設定入力を受け付ける条件受付手段と、
仮決定された前記対象建物に対して前記地震動指標値を有する地震波を仮想的に入力し、仮決定された前記対象建物における前記地震動指標値と層間変形角との関係を示す応答情報を導出し、且つ前記地震動指標値を有する地震が、仮決定された前記対象建物に作用した際の損傷度に基づく損傷評価値を前記損傷情報記憶手段に記憶された前記損傷情報及び前記応答情報に基づいて導出すると共に、導出した前記損傷評価値と前記損傷許容値とを比較する比較処理を実行する制御手段と、
前記制御手段で実行された前記比較処理の結果を出力する出力手段と、を備え、
前記制御手段は、導出した前記損傷評価値が前記損傷許容値を超えていると判定する場合には、前記条件受付手段で受け付けられた値で、且つ前記地震動指標値、前記損傷許容値、及び前記仮設定値の少なくとも一つの変更後の値に基づく前記比較処理を前記損傷評価値が前記損傷許容値以下となるまで繰り返し実行し、前記損傷評価値が前記損傷許容値以下になったと判定する場合には、前記仮設定値を前記対象建物の確定した部材配置の設定値として前記出力手段から出力させることを特徴とする耐震設計支援装置。
【発明の詳細な説明】
【技術分野】
【０００１】
本発明は、所定の規格に基づいて建築される工業化住宅などの規格化建物のカテゴリーに属する建物の耐震設計方法、及び耐震設計支援装置に関する。
【背景技術】
【０００２】
従来の耐震設計では、個々の建物それぞれにおいて建築基準法や建築基準法施行令などの法令に定められた耐震基準を満たすような設計が行われる。また、耐震設計に係る技術ではないが、地震動による建物の被害状況を高精度で予測することができる地震被害予測方法や地震被害予測装置なども知られている（特許文献１参照）。
【先行技術文献】
【特許文献】
【０００３】
【特許文献１】特開２００７−９３６１９号公報
【発明の概要】
【発明が解決しようとする課題】
【０００４】
顧客（住宅購入予定者など）のニーズを調査すると、上記の法令が要求している安全性（大地震で大破しても倒壊、崩壊しない性能）のみならず、修復性に係る要求も存在することが判明した。修復性とは大地震後も初期建設費に比して比較的安い費用で修復して再使用できるような性能であり、財産保全性とも言える。修復性は建物の損傷度と密接に関係しているが、従来の設計方法では、所定の地震が作用した際の損傷度の度合いを考慮に入れた設計を行うことはできなかった。一方で、特許文献１には被害を受けた建物の被害額（復旧費用）を予測する方法についての記載があるが、顧客の求める修復性に基づいて建物の耐震性を設定するという耐震設計の考え方はない。特に特許文献１に記載の手法は高度な解析に基づくものであるため、特許文献１に記載の手法を転用して顧客の要求を満たすような建物の設計を行うことは現実的では無い。
【０００５】
本発明は、建物の修復性に密接に関連する建物の損傷度を考慮に入れて規格化建物のカテゴリーに属する建物の耐震設計を行う方法、及び耐震設計支援装置を提供することを目的とするものである。
【課題を解決するための手段】
【０００６】
上記課題を解決すべく、本発明は、所定の規格に基づいて建築される規格化建物のカテゴリーに属し、所望の間取りを有する対象建物の耐震設計方法であって、当該規格化建物のカテゴリーに属し、且つ実際に建築された構造モデルを用いた実験により、各部位における層間変形角と損傷度との関係を導出する損傷情報導出工程と、設計用に仮決定される地震動指標値、その地震動指標値を有する地震が対象建物に作用した際の損傷許容値、及び対象建物を仮決定するための耐震性に係わる部材配置の仮設定値を設定する条件設定工程と、仮決定された対象建物に対して地震動指標値を有する地震波を仮想的に入力し、仮決定された対象建物における地震動指標値と層間変形角との関係を導出する応答解析工程と、地震動指標値を有する地震が、仮決定された対象建物に作用した際の損傷度に基づく損傷評価値を損傷情報導出工程及び応答解析工程で導出された各関係に基づいて導出する損傷評価値導出工程と、損傷評価値と損傷許容値とを比較する比較工程と、を備え、比較工程において損傷評価値が損傷許容値を超えている場合には、部材配置の仮設定値を変更して損傷評価値が損傷許容値以下になるまで条件設定工程、損傷情報導出工程、及び比較工程を繰り返し行い、比較工程において損傷評価値が損傷許容値以下になった場合には、仮設定値を対象建物の確定した部材配置の設定値として決定することを特徴とする。
【０００７】
本発明では、顧客からの要求に従って地震動指標値、及び、その地震動指標値を有する地震が対象建物に作用した際の損傷許容値を受け付け、さらに対象建物を仮決定するための耐震性に係わる部材配置の仮設定値を受け付ける。一方で、地震動指標値を有する地震が仮決定された対象建物に作用した際の損傷度に基づく損傷評価値を損傷情報導出工程及び応答解析工程で導出された各関係に基づいて導出する。そして、損傷評価値と損傷許容値とを比較し、仮決定された対象建物の損傷評価値が損傷許容値以下になるまで部材配置の仮設定値を適宜に変更し、損傷評価値が損傷許容値以下になると、その仮設定値を対象建物の確定した部材配置の設定値として決定する。その結果として、建物の修復性に密接に関連する建物の損傷評価値を考慮に入れた対象建物の耐震設計が可能になる。また、本発明では、例えば工業化住宅のように、使用する部材やその納まり（接合部）などを規定する所定の規格に基づいて建築される規格化建物のカテゴリーに属する建物を対象としており、当該カテゴリーに属し且つ実際に建築された部材の挙動や損傷の状態が類似する構造モデルの損傷情報に基づいて対象建物の損傷度を導出するので簡易且つ精度良く耐震設計できるという点で有利である。
【０００８】
さらに、損傷度は、損傷からの復旧に要する困難性の度合いに応じて複数の損傷モードに分類され、応答解析工程では、複数種の構造モデルそれぞれに対して、各部位における層間変形角と損傷モードそれぞれとの関係を導出すると好適である。損傷モード毎に損傷評価値と損傷許容値との比較を行うことができるようになり、修復性という観点での顧客の要求に対応させ易くなる。
【０００９】
さらに、損傷からの復旧に要する困難性の度合いとは、修復に要する費用の額に基づいて決定されると好適である。修復に要する費用の額に基づいて損傷モードが分類されることになるため、顧客の意図する修復性という要求に直接対応した耐震設計を行い易くなる。
【００１０】
さらに、応答解析工程では、複数の地震波を仮想的に入力すると共に、応答解析工程において導出される関係は、確率論的に求められると好適である。現実に発生する地震の規格化建物への影響を正確に予想することは非常に難しいが、上記の関係を確率論的に導出することにより、ある程度の確からしさを持った比較的高い精度での上記関係の導出が可能になる。
【００１１】
また、本発明は、所定の規格に基づいて建築される規格化建物のカテゴリーに属し、所望の間取りを有する対象建物の耐震設計支援装置であって、規格化建物のカテゴリーに属し、且つ実際に建築された構造モデルの各部位における層間変形角と損傷度との関係を示す損傷情報を格納する損傷情報記憶手段と、設計用に仮決定される地震動指標値、地震動指標値を有する地震が対象建物に作用した際の損傷許容値、及び対象建物を仮決定するための耐震性に係わる部材配置の仮設定値の設定入力を受け付ける条件受付手段と、仮決定された対象建物に対して地震動指標値を有する地震波を仮想的に入力し、仮決定された対象建物における地震動指標値と層間変形角との関係を示す応答情報を導出し、且つ地震動指標値を有する地震が、仮決定された対象建物に作用した際の損傷度に基づく損傷評価値を損傷情報記憶手段に記憶された損傷情報及び応答情報に基づいて導出すると共に、導出した損傷評価値と損傷許容値とを比較する比較処理を実行する制御手段と、制御手段で実行された比較処理の結果を出力する出力手段と、を備え、制御手段は、導出した損傷評価値が損傷許容値を超えていると判定する場合には、条件受付手段で受け付けられた変更後の部材配置の仮設定値に基づく比較処理を損傷評価値が損傷許容値以下となるまで繰り返し実行し、損傷評価値が損傷許容値以下になったと判定する場合には、仮設定値を対象建物の確定した部材配置の設定値として出力手段から出力させることを特徴とする。
【００１２】
本発明によれば、建物の修復性に密接に関連する建物の損傷度を考慮に入れた規格化建物の耐震設計が可能になる。また、本発明では、例えば工業化住宅のように、使用する部材やその納まり（接合部）などを規定する所定の規格に基づいて建築される規格化建物のカテゴリーに属する建物を対象としており、当該カテゴリーに属し且つ実際に建築された部材の挙動や損傷の状態が類似する構造モデルの損傷情報に基づいて対象建物の損傷度を導出するので簡易且つ精度良く耐震設計できるという点で有利である。
【発明の効果】
【００１３】
本発明によれば、建物の修復性に密接に関連する建物の損傷度を考慮に入れた規格化建物のカテゴリーに属する建物の耐震設計を行うことができる。
【図面の簡単な説明】
【００１４】
【図１】本発明の実施形態に係る耐震設計方法の手順を示すフローチャートである。
【図２】耐力情報取得処理の動作手順を示すフローチャートである。
【図３】応答解析処理の動作手順を示すフローチャートである。
【図４】本発明の実施形態に係る耐震設計支援装置の概略を示すブロック図である。
【図５】第１損傷モードと第２損傷モードとにおける層間変形角と発生確率との関係を示すグラフであり、（ａ）は損傷度曲線を示し、（ｂ）は確率密度関数を示す。
【図６】所定の地震動指標値を有する地震が対象建物に作用した際の応答を示すグラフであり、（ａ）は震度７の地震が作用した際の層間変形角を確率変数としてプロットした図であり、（ｂ）は震度７の地震が作用した際の最大層間変形角の発生確率を示す確率密度関数である。
【図７】第１損傷モードにおける損傷確率を導出するためのグラフであり、(ａ)は最初に導出した耐力情報Ｒａと応答情報Ｓａとを対比して示すグラフであり、（ｂ）は対象建物を仮決定するための耐震性に係わる部材配置の仮設定値を変更した後の耐力情報Ｒｂと応答情報Ｓａとを対比して示すグラフである。
【図８】工業化住宅の耐力を求める構造実験に用いられる構造モデルを模式的に示す図であり、（ａ）は平面図、（ｂ）は正面図、（ｃ）は側面図である。
【図９】構造実験による層間変形角の推移を示すグラフである。
【発明を実施するための形態】
【００１５】
以下、本発明の好適な実施形態について図面を参照しながら説明する。
【００１６】
所定の規格に基づいて建築される規格化建物とは、例えば、材質、形状、納まり、固定方法、他部材との接合方法などが予め規定された部材（柱・梁など）が適宜選択され、それらの部材が組み合わされて構築される工業化住宅などであり、本実施形態では、鉄骨の軸組（柱・梁）に耐力パネルを適宜配置して構成される鉄骨軸組工法の工業化住宅の耐震設計方法を例に説明する。
【００１７】
なお、本工業化住宅の規格に基づいて建築される住宅は、どのような間取りであっても、柱や梁の断面形状や接合部形状、耐力パネルの形状と１枚あたりの強度、外壁を構成する外壁パネルの材質、寸法、取付方法、内装壁の下地材の構成、下地材に対する石膏ボードの固定方法、窓の取り付け方法などは共通である。また、間取りに影響を与えない位置に柱が配置され、柱の配置に応じて呼び寸法の異なる梁が適宜選択、配置される。また、耐力パネルは間取りに影響を与えない位置（間仕切壁や、開口のない外周壁の位置）に配置される。また、耐震性は建物の規模（重量）に対する耐力パネルの数の割合でほぼ決定される。
【００１８】
本実施形態に係る耐震設計方法では、建築基準法などの法令を満たすことは勿論のこと、更に、顧客（住宅購入予定者など）からの修復性に係る要求にも配慮した耐震設計を行えることが特徴の一つである。修復性とは大地震後も初期建設費に比して比較的安い費用で修復して再使用できるような性能であり、財産保全性とも言える。修復性は工業化住宅の損傷度と密接に関係している。
【００１９】
図１に示されるように、耐震設計を行う場合には、予め、顧客との打合せにより、間取りを決定した後に、まず、顧客要求を取得する。具体的には、オペレータ（操作者）が対象地震動の選定及び許容被害の決定を行うための情報を顧客からヒアリングする。このヒアリングは、住居となる建物に所定の地震（対象地震）が作用した場合に、どの程度の被害までなら許容できるかについての顧客の要求を取得するための処理であり、予算面での顧客のニーズなども考慮に入れられる。
【００２０】
なお、対象地震動の選定とは、設計用に地震動指標値を仮決定することを意味する。地震動指標値とは、地震の強度、すなわち震度や最大加速度などの値を意図し、顧客の要求に応じて適宜に決定される。
【００２１】
また、許容被害（損傷許容値）は、工業化住宅のカテゴリーに属し、顧客の要求に沿うように間取りが決定された建物（以下、「対象建物」とする。）に対象地震が作用した場合の損傷度に基づく指標値である。例えば、許容被害（損傷許容値）は、対象地震が対象建物に作用した場合の損傷確率、損傷からの修復に要する額（修復金額）、初期建設費用に対する修復金額の割合、または損傷確率に修復金額と地震発生確率をかけた地震損傷リスクであったりしてもよい。
【００２２】
また、損傷度は、損傷からの復旧に要する困難性の度合い（以下、「修復困難性」という）に応じて複数の損傷モードに分類される。修復困難性は、例えば、修復に要する費用の額に基づいて決定され、本実施形態では、外壁パネルの交換の要否によって第１損傷モードと第２損傷モードとに分類される。ここで、第１損傷モードは、外壁パネルの交換を要することなく修復が完了する程度の被害である。例えば、外壁パネルに軽微なヒビが入った程度の損傷などであり、第１の損傷モードの場合、シーリング材やパテ材を充填しタッチアップする程度の軽微な修復工事で足りるため、修復に要する費用の額は非常に小さくて済む。一方、第２損傷モードは、外壁の交換を要する被害であり、内装や設備などの付帯的な部位・部材も絡む大がかりな工事が必要となり、修復に要する費用の額は非常に高くなる。
【００２３】
本実施形態に係る許容被害は、損傷確率に基づいて評価され、損傷確率を特定するためには、複数の損傷モード（第１損傷モード及び第２損傷モード）の少なくとも一を選択する必要がある。以下の説明では、第１損傷モードに係る損傷確率の上限値を許容被害とした場合を例に説明する。
【００２４】
オペレータは、対象地震動の選定及び許容被害の決定に係る情報（顧客要求情報）を顧客から取得すると、顧客要求情報を耐震設計支援装置１に入力する（ステップＳ１参照）。
【００２５】
次に、オペレータは、顧客の要求する間取りに対応した対象建物を仮決定するための耐震性に係わる部材配置の仮設定値、すなわち、柱、梁、耐力パネル等の構造部材の選択と配置に関する値を入力し（ステップＳ２参照）、シミュレーション用の対象建物を仮決定する。ここでの仮設定値は、例えば、オペレータの経験に基づき、最初の目安として決められる初期値である。オペレータは、この仮設定値を耐震設計支援装置１に入力する。ステップＳ１及びステップＳ２は条件設定工程に相当する。
【００２６】
顧客要求情報と対象建物の耐震性に係わる部材配置の仮設定値との両方の情報を受け付けた耐震設計支援装置１は、耐力情報格納部１４（図４参照）に格納されたデータに基づいて対象建物と同一のカテゴリーに属する建物の耐力情報Ｒａを導出する（ステップＳ３参照）。
【００２７】
耐力情報Ｒａを導出ためのデータ（構造モデルの耐力情報）は、構造モデルを用いた構造実験及び各種情報処理を行う耐力情報取得処理によって導出される。ここで、耐力情報取得処理について図２を参照して説明する。なお、耐力情報取得処理は損傷情報導出工程に相当する。
（耐力情報取得処理）
【００２８】
図２に示されるように、耐力情報取得処理では、予め、構造モデルを用いた構造実験が行われる（ステップＳ１１）。構造モデルとは、対象建物が属する工業化住宅のカテゴリーに属し、実際に建築された建物モデルの一部である試験体１００（図８参照）を意図する。
【００２９】
図８に示されるように、試験体１００は、鉄骨の軸組と耐力パネルとを備え、外壁パネルや床パネルなどを取り付けられて構成されており、適宜に窓１０１、ドア１０２及び観察用出入口窓１０３などが設けられている。試験体１００の内部は、床はモルタル等の下地の上にフローリング材による仕上げまでが施され、壁と天井は石膏ボードを下地としてビニールクロスによる仕上げまで施されている。試験体１００の下部は、下部鉄骨梁１０５に支持されており、試験体１００の上部（上部鉄骨梁の位置）には１０００ｋＮジャッキ１０４が２本取り付けられている。
【００３０】
構造実験は、ジャッキ１０４を駆動し試験体１００に水平方向の力を加えることで行われる。具体的には、ジャッキ１０４によって押出し、及び引っ張りの力が試験体１００に交互に加えられ、試験体１００には、ジャッキ１０４の押出し方向を正、引っ張り方向を負とした場合に、正負の層間変形角が交互に生じる。構造実験では、層間変形角が徐々に大きくなるように変形ステップが繰り返し実行される。各変形ステップでは、試験体１００を変形させた後に一旦必ず初期状態の“０”に戻される。また、各変形ステップは、初期状態の“０”から正の層間変形角を生じさせられた後に“０”に戻り、次に負の層間変形角が生じさせられた後に再び“０”に戻されるサイクルを二回ほど行う。
【００３１】
図９は、構造実験での層間変形角の変位を模式的に示すグラフである。図９に示されるように、最初の変形ステップでは層間変形角が±１／４００ｒａｄ、次の変形ステップでは層間変形角が±１／２００ｒａｄ、次の変形ステップでは層間変形角が±１／１５０ｒａｄになり、最終的に層間変形角が±１／２０ｒａｄとなるまで構造実験が行われる。
【００３２】
試験体１００の変形履歴の取得（図２参照）は、試験体１００の損傷状態の観察（写真撮影など）及び層間変形角と損傷モードとの関係を示す情報の取得によって行われる。試験体１００の損傷状態の観察は、層間変形角が“０”である中立状態、正の層間変形角が生じた状態、負の層間変形角が生じた状態それぞれにおいて行われる。また、試験体１００の観察場所は、例えば、損傷が層間変形角に支配される各部を広く含み、例えば、外壁パネル、窓、間口、ドア、壁の石膏ボードやビニールクロス、耐力パネルなどである。
【００３３】
上記観察の結果、例えば、外壁パネルを交換するまでも無い軽微な損傷を確認した場合には、第１損傷モードが発生したとしてデータ（第１損傷モードが発生した時点での層間変形角の値）を取得し、外壁パネルの交換を要する程度の損傷を確認した場合には、第２損傷モードが発生したとしてデータ取得する。これらのデータの取得は、層間変形角と損傷モードとの関係を示す情報の取得を意味する。なお、上記の観察により、例えば、試験体１００の一部では第１損傷モードが確認され、他の部分では第２損傷モードが確認された場合には、第１損傷モードと第２損傷モードとの両方が発生したとしてデータを取得する。
【００３４】
以上の構造実験を同一の工業化住宅のカテゴリーに属する多数の試験体（構造モデル）１００に対して行い、試験体１００の各部位における層間変形角と第１損傷モード及び第２損傷モードとの関係を示す情報を取得する。
【００３５】
次に、第１または第２損傷モードのいずれか一方の特定が行われる（図２のステップＳ１２参照）。ステップＳ１２において第１損傷モードが特定された場合、次に、第１損傷モードの地震損傷度曲線Ｍ（図５（ａ）参照）が、上記の層間変形角と損傷モードとの関係を示す情報から導出され、更に、この地震損傷度曲線Ｍの確率密度関数が導出される（ステップＳ１３参照）。地震損傷度曲線（フラジリティカーブ）は層間変位角に対する損傷モードの発生確率を示しており、確率密度関数は地震損傷度曲線を微分することで求められる。確率密度関数は耐力情報Ｒｍに相当する（図５（ｂ）参照）。多数の試験体１００に対して、第１損傷モードに係る耐力情報Ｒｍが求められると、その試験体１００に係る構造モデルに属するカテゴリーに対応付けて耐震設計支援装置１の耐力情報格納部１４に格納される（ステップＳ１４参照）。
【００３６】
次に、全ての損傷モードにおける耐力情報の格納が完了しているか否かの判定が行われる（ステップＳ１５参照）。例えば、第２損傷モードに係る耐力情報Ｒｎが格納されていない場合、上記のステップＳ１２〜Ｓ１４の処理を繰り返し実行し、第２損傷モードに係る地震損傷度曲線Ｎ（図５（ａ）参照）の導出、地震損傷度曲線Ｎに基づく耐力情報Ｒｎ（図５（ｂ）参照）の導出、そして耐力情報Ｒｎの耐力情報格納部１４への格納が行われる。全ての損傷モード（第１損傷モード及び第２損傷モード）における耐力情報Ｒｍ，Ｒｎの格納が終了したと判定されると、耐力情報取得処理が終了する。
【００３７】
図１に示されるように、対象建物の耐震性に係わる部材配置の仮設定値の設定（ステップＳ２）が終了すると、その仮設定値に基づく対象建物と同一カテゴリーに属する建物の耐力情報Ｒａ（図７（ａ）参照）の導出が行われる（ステップＳ３）。なお、本実施形態では、第１損傷モードに係る損傷確率の上限値を許容被害としているため、ここで導出される耐力情報Ｒａは第１損傷モードに係る耐力情報Ｒｍ（図５（ｂ）参照）である。
【００３８】
対象建物の耐力情報Ｒａの導出（ステップＳ３）が終了すると、耐震設計支援装置１において対象建物の応答情報Ｓａ（図６及び図７参照）の導出（応答解析処理）が行われる（ステップＳ４）。図３を参照して応答解析処理を説明する。なお、応答解析処理は応答解析工程に相当する。
（応答解析処理）
【００３９】
図３に示されるように、耐震設計支援装置１では、ステップＳ１において設定された対象地震、すなわち顧客に選定された地震動指標値を有する複数の地震波をステップＳ２で仮決定された対象建物に仮想的に入力し、対象建物における地震動指標値と層間変形角との関係を時刻歴応答解析によって求める。具体的には、仮決定された対象建物のモデルをシミュレーションし、このモデルにモンテカルロシミュレーションを用いた時刻歴応答解析を実施して地震動指標値での対象建物の応答の分布（平均や偏差）を求める（ステップＳ２１）。
【００４０】
モンテカルロシミュレーションは、乱数を用いたシミュレーションを何度も行うことにより近似解を求める数学的手法である。例えば、地震動指標値として震度７を想定した場合には、震度７の仮想的な地震波を数千から数万回程度、仮想的に対象建物に入力し、震度７の対象地震が対象建物に作用した際に発生する最大の層間変形角を確率変数Ｓとして求め、この層間変形角の発生確率を確率密度関数として導出する。
【００４１】
なお、図６（ａ）は、震度７の仮想的な地震波を入力して得られる応答（最大の層間変形角）を確率変数Ｓとしてプロットしたグラフである。また、図６（ｂ）は、図６（ａ）で示された応答解析の結果に基づいて導出された応答情報Ｓａであり、震度７の対象地震が対象建物に作用した際に発生する層間変形角（最大の層間変形角）の発生確率を示している。
【００４２】
耐震設計支援装置１は、モンテカルロシミュレーションによって層間変形角の発生確率を確率密度関数（応答情報）Ｓａとして導出する（ステップＳ２１）。なお、図７（ｂ）のグラフとして示す応答情報Ｓａは、対象建物の耐震性に係わる部材配置の値を変更することで左右に平行移動するように変化し、例えば、外壁パネルを増やすなどすると図７（ｂ）の一点鎖線で示すように左に移動し、逆に減らすなどすると図７（ｂ）の二点鎖線で示すように右に移動する。
【００４３】
次に、ステップＳ２１で求めた応力情報が仮決定された対象建物の応力情報Ｓａとして耐震設計支援装置１の記憶部に格納され（ステップＳ２２）、応答解析処理が終了する。
【００４４】
図１に示されるように、耐震設計支援装置１は、応答解析処理（ステップＳ４）が終了すると、耐力情報Ｒａ及び応答情報Ｓａに基づく損傷確率Ｐｆの導出を行う（ステップＳ５）。損傷確率Ｐｆは、顧客要求に基づく対象地震動が対象建物に作用した際の損傷モード（損傷度）に基づく損傷評価値に相当する。また、損傷確率Ｐｆを導出するための処理は、損傷評価値導出工程に相当する。損傷確率Ｐｆの導出について、図７（ａ）を参照して説明する。
【００４５】
図７（ａ）は、耐力情報Ｒａと応答情報Ｓａとを重ねて示すグラフである。耐力情報Ｒａが応答情報Ｓａを超えている場合、つまり、Ｒａ＞Ｓａの場合は、第１損傷モードが発生しないことを示し、耐力情報Ｒａが応答情報Ｓａ以下の場合、つまり、Ｒａ≦Ｓａの場合には、第１損傷モードが発生することを示す。そして、図７（ａ）のＲａ≦Ｓａとなる領域（ハッチングを示す領域）の面積に基づいて第１損傷モードでの損傷確率Ｐｆを導出することができる。
【００４６】
耐震設計支援装置１は、損傷確率Ｐｆを導出すると（ステップＳ５）、損傷確率Ｐｆが顧客要求に基づく許容被害を超えているか否かを判断する（ステップＳ６）。損傷確率Ｐｆが顧客要求に基づく許容被害を超えているか否かを判断する工程は、比較工程に相当する。ステップＳ６において、損傷確率Ｐｆが許容被害を超えていると判断する場合には、例えば、オペレータが認識可能となるように、エラーメッセージ（部材配置不適切情報）などを出力部１３から表示等させ、耐震性が不十分であることをオペレータに報知する。ステップＳ６の処理は、比較工程である。
【００４７】
エラーメッセージなどが報知されたことを確認したオペレータは、ステップＳ１またはステップＳ２に戻り、顧客要求情報や対象建物の耐震性に係わる部材配置の仮設定値を変更して再入力を行う。なお、部材配置の仮設定の変更は、耐力パネルの数を増やしたり、耐力パネルに複数のグレードが存在する場合にはグレードを上げたり、制振ダンパー等他の付加的な装置を加えたりすることで可能である。
【００４８】
顧客要求情報や部材配置の仮設定値の再入力を受け付けた耐震設計支援装置１は、ステップＳ３〜ステップＳ５を行い、耐力情報Ｒｂ（または耐力情報Ｒｃ）の導出、及び応答情報Ｓａの導出を行う（図７（ｂ）参照）。図７（ｂ）は、顧客要求情報や部材配置の仮設定値を変更した場合を例示するものであり、応答情報Ｓａはあまり変更されずに、顧客要求情報、特に許容被害（損傷許容値）の変更に基づき、耐力情報Ｒａが耐力情報Ｒｂに大きく変更された場合を示している。なお、図示は省略するが、部材配置の仮設定値について、例えば、外壁パネルの増やすなどの変更を行うと、応答情報Ｓａのグラフは左に移動し、その結果、Ｒａ≦Ｓａとなる領域（ハッチングを示す領域）の面積は少なくなる。
【００４９】
図７（ｂ）に示されるように、耐震設計支援装置１は、顧客要求情報の変更によって耐力情報Ｒｂになった場合は、耐力情報Ｒｂ≦応答情報Ｓａとなる領域（梨地で示す領域）の面積に基づいて損傷確率Ｐｆを導出し、この損傷確率Ｐｆが許容被害を超えるかを再度判定する。ここで、損傷確率Ｐｆが許容被害を超えると判定すると、ＮＧメッセージ（ＮＧ判定情報）がオペレータに報知され、オペレータは、顧客要求情報や部材配置の仮設定値を変更して再入力する。一方で、この損傷確率Ｐｆが許容被害以下と判定された場合には、ＯＫメッセージ（ＯＫ判定情報）を出力部１３から出力させ、さらに、対象建物の部材配置の仮設定値が顧客の要求性能を満足する設定値（部材配置）として出力部１３から出力させる。
【００５０】
出力部１３から出力（表示等）された情報を確認したオペレータは、ステップＳ２で仮設定した対象建物の耐震性に係わる部材配置の仮設定値が、顧客要求を満足する対象建物の確定した部材配置の設定値として決定する（ステップＳ７）。このように、本実施形態では、ステップＳ５で導出した損傷確率Ｐｆが許容被害以下となるまでステップＳ１〜ステップＳ６の処理を繰り返し実行し、損傷確率Ｐｆが許容被害以下になった場合には、仮設定した対象建物の耐震性に係わる部材配置の仮設定値を対象建物の確定した部材配置の設定値として決定する。
（耐震設計支援装置）
【００５１】
次に、上記の耐震設計方法に利用される耐震設計支援装置１について図４を参照して説明する。図４は、耐震設計支援装置１の機能的構成を示すブロック図である。耐震設計支援装置１は、ハードウェア構成としてＣＰＵ、ＲＡＭ及びＲＯＭなどを実装する制御装置、キーボードやマウスなどの入力装置及び液晶ディスプレイやスピーカなどの出力装置を備えており、以下に示す各機能を実現可能に構成されている。
【００５２】
耐震設計支援装置１は、各種情報の操作入力を受け付ける入力部（条件受付手段）１１と、耐力情報Ｒｍ，Ｒｎを格納する耐力情報格納部（損傷情報記憶手段）１４と、応答解析処理や比較処理を実行する制御部（制御手段）１２と、制御部１２で実行された比較処理の結果を出力する出力部（出力手段）１３と、を備えている。
【００５３】
入力部１１は、顧客要求情報、及び対象建物を仮決定するための耐震性に係わる部材配置の仮決定値の操作入力（設定入力）を受け付ける。また、入力部１１は、耐力情報取得処理における損傷モード特定のための情報（ステップＳ１２参照）、耐力情報取得処理の構造実験で得られた層間変形角と損傷モードとの関係を示す情報の操作入力を受け付ける。
【００５４】
制御部１２は、耐力情報取得処理における地震損傷度曲線Ｍ，Ｎの導出、及び耐力情報Ｒｍ，Ｒｎの導出（ステップＳ１３参照）を行い、また、耐力情報Ｒｍ，Ｒｎの耐力情報格納部１４への格納を行う（ステップＳ１４参照）。
【００５５】
また、制御部１２は、上述のステップＳ３の処理を実行して対象建物の耐力情報Ｒａ，Ｒｂを導出する。更に、制御部１２は、ステップＳ４の応答解析処理を実行して対象建物の応答情報Ｓａを導出する。更に、制御部１２は、応答解析処理（ステップＳ５参照）を実行して仮決定された対象建物の応答情報Ｓａを導出する。更に、制御部１２は、ステップＳ６の比較処理を実行し、損傷確率Ｐｆが許容被害を超えていると判定する場合には、入力部１１で受け付けられた変更後の設計条件に基づく比較処理を損傷確率Ｐｆが許容被害以下となるまで繰り返し実行し、損傷確率Ｐｆが許容被害以下になったと判定する場合には、最終的に対象建物を仮決定するための耐震性に係わる部材配置の仮設定値を対象建物の確定した部材配置の設定値として出力部１３から出力させる。
【００５６】
以上、本実施形態に係る耐震設計方法及び耐震設計支援装置１では、顧客からの要求に従って地震動指標値、その地震動指標値を有する地震が対象建物に作用した際の許容被害（損傷許容値）を受け付け、さらに対象建物を仮決定するための耐震性に係わる部材配置の仮設定値を受け付ける。一方で、地震動指標値を有する地震が対象建物に作用した際の損傷度に基づく損傷確率Ｐｆ（損傷評価値）を耐力情報取得処理及び応答解析処理で導出された各関係に基づいて導出する。
【００５７】
そして、損傷確率Ｐｆと許容被害とを比較し、対象建物の損傷確率Ｐｆが損傷許容値以下になるまで、顧客要求情報、または対象建物の耐震性に係わる部材配置の仮設定値を適宜に変更し、損傷確率Ｐｆが許容被害以下になると、その部材配置の仮設定値を工業化住宅の確定した部材配置の設定値として決定する。その結果として、建物の修復性に密接に関連する建物の損傷度を考慮に入れた対象建物の耐震設計が可能になる。
【００５８】
その結果として、本実施形態によれば、顧客が危惧している地震動指標値に対応する地震に対し、居住を予定している対象建物の部分の損傷状態を具体的に定量評価できる。従って、耐震性能に関する顧客のニーズにきめ細かく対応でき、更に、所定の地震を受けた際の各部位の損傷度（修復の手間、費用など）が明確になり、素人でも建物の耐震性能を判断し易くなる。
【００５９】
また、上記の作用、効果を奏する本実施形態の採用により、顧客の要望に叶い、経済性に優れ、部材製造や現場施工性、メンテナンス性に配慮され、且つ、説明性に優れた各部耐震性能設定が可能となる。従って、工業化住宅の販売者が、例えば、顧客に対して「震度７の地震でも軽微な被害で済み、住み続けられます。」または「過去最大の地震が来ても修復金額は建設費の数％で済みます。」といった提案を工学的な裏付けを持って語る事ができるようになる。
【００６０】
また、本実施形態では、例えば工業化住宅のように、使用する部材やその納まり（接合部）などを規定する所定の規格に基づいて建築される規格化建物のカテゴリーに属する建物を対象としており、当該カテゴリーに属し且つ実際に建築された部材の挙動や損傷の状態が類似する構造モデルの損傷情報に基づいて対象建物の損傷度を導出するので簡易且つ精度良く耐震設計でき、本実施形態に係る耐震設計方法及び耐震設計支援装置１を適用する上での実現容易性という観点から有利である。
【００６１】
さらに、本実施形態に係る損傷度は、修復困難性に応じて複数の損傷モードに分類され、応答解析工程では、複数種の構造モデルそれぞれに対して、各部位における層間変形角と損傷モードそれぞれとの関係（耐力情報Ｒｍ，Ｒｎ）が導出されている。上述の説明では、第１損傷モードに係る許容被害及び損傷確率Ｐｆに基づいて比較処理が行われる場合を例示したが、本実施形態では、第２損傷モードに係る耐力情報Ｒｎも導出されているので、第２損傷モードに係る許容被害及び損傷確率Ｐｆに基づいた比較処理、または、両方の損傷モードに係る許容被害及び損傷確率Ｐｆに基づいた比較処理を行うこともできる。その結果として、修復性という観点での顧客の要求に対応させ易くなる。
【００６２】
さらに、本実施形態では、修復困難性に応じた損傷モードの分類が、修復に要する費用の額に基づいて決定されているので、顧客の意図する修復性、特に予算面での要求に直接対応した耐震設計を行い易くなる。
【００６３】
さらに、本実施形態では、応答解析処理において導出される関係（応答情報Ｒａ）がモンテカルロシミュレーションを用いて確率論的に求められている。現実に発生する地震の工業化住宅への影響を正確に予想することは非常に難しいが、応答情報Ｒａを確率論的に導出することにより、ある程度の確からしさを持った比較的高い精度での応答情報Ｒａの導出が可能になる。
【００６４】
以上、本発明をその実施形態に基づき具体的に説明したが、本発明は、上記実施形態に限定されるものではない。例えば、上記の実施形態では、損傷度が第１及び第２損傷モードの二つに分類された態様を説明したが、単体の損傷モードであったり、３つ以上の損傷モードに分類されたりしてもよい。
【符号の説明】
【００６５】
１…耐震設計支援装置、１００…試験体（構造モデル）、１４…耐力情報格納部（損傷情報記憶手段）、１１…入力部（条件受付手段）、１２…制御部（制御手段）、１３…出力部（出力手段）、Ｒｍ，Ｒｎ…耐力情報（損傷情報）。
【図１】
0005653765.tif 000002
【図２】
0005653765.tif 000003
【図３】
0005653765.tif 000004
【図４】
0005653765.tif 000005
【図５】
0005653765.tif 000006
【図６】
0005653765.tif 000007
【図７】
0005653765.tif 000008
【図８】
0005653765.tif 000009
【図９】
0005653765.tif 000010